(57)【要約】【課題】  セル損失からフレーム構造を保護する。【解決手段】  入力されたフレームをセル生成部１０３にてセルに分割する際に、ＣＢＲ信号フレーム周期カウンタ１０２にてフレームの周期を識別する識別子を生成しそのセルに付与して、ネットワーク１０９に送出する。ネットワーク１０９を通過して、受信したセルをセル終端部１０４にて終端する際に、ＦＩ監視部１０６にて識別子を監視し、検出する。検出した結果から決定されたアドレスに従ってメモリ１０７にセルのペイロードを書き込む。【選択図】図１
2006050075.tif 000002
【特許請求の範囲】
【請求項１】
入力されたフレームからセルを生成し、送出するセル生成部と、前記セル生成部から送出されたセルを受信し、該セルを終端するセル終端部と、前記セル終端部にて終端されたセルが書き込まれるメモリ部と、前記メモリ部へのセルの書き込みアドレスを生成する書き込みアドレス生成部とを有し、前記メモリ部が、前記アドレス生成部にて生成された書き込みアドレスに前記セルを書き込むセル伝送方式において、
前記フレームの構造を保持するために前記フレームの周期を監視するための第１の識別子を生成し、前記セル生成部にて生成されたセルに付与する第１の識別子付与手段と、
前記セル終端部にて受信されたセルから、前記第１の識別子を検出する第１の識別子検出手段とを有し、
前記アドレス生成部は、前記第１の識別子検出手段にて検出された前記第１の識別子に基づいて前記書き込みアドレスを生成することを特徴とするセル伝送方式。
【請求項２】
請求項１に記載のセル伝送方式において、
前記セル生成部にて生成されたセルの順序を識別するための第２の識別子を生成し、前記セルに付与する第２の識別子付与手段と、
前記セル終端部にて受信されたセルから、前記第２の識別子を検出する第２の識別子検出手段とを有し、
前記アドレス生成部は、前記第１の識別子検出手段にて検出された前記第１の識別子と、前記第２の識別子検出手段にて検出された前記第２の識別子とに基づいて、前記書き込みアドレスを生成することを特徴とするセル伝送方式。
【請求項３】
入力されたフレームからセルを生成して送出し、受信したセルを終端してメモリに書き込むセル伝送方法であって、
前記フレームの構造を保持するために前記フレームの同期を監視するための第１の識別子をセルに付与する処理と、
前記第１の識別子が付与されたセルを送出する処理と、
前記受信されたセルから前記第１の識別子を検出する処理と、
前記検出された前記第１の識別子に基づいてセルの前記メモリへの書き込みアドレスを生成する処理と、
前記書き込みアドレスにしたがってセルを前記メモリに書き込む処理とを有するセル伝送方法。
【請求項４】
請求項３に記載のセル伝送方法において、
セルの順序を識別するための第２の識別子をセルに付与する処理と、
前記第１および第２の識別子が付与されたセルを送出する処理と、
前記受信されたセルから前記第１および第２の識別子を検出する処理と、
前記検出された前記第１および第２の識別子に基づいてセルの前記メモリへの書き込みアドレスを生成する処理と、
前記書き込みアドレスにしたがって、セルを前記メモリに書き込む処理とを有することを特徴とするセル伝送方法。
【発明の詳細な説明】
【技術分野】
【０００１】
本発明は、ＳＤＨ（Synchronous Digital Hierarchy）フレーム信号のようなＣＢＲ（Constant Bit Rate）信号を、セル分割して転送するネットワークにおいて用いられるセル伝送方式およびセル伝送方法に関する。
【背景技術】
【０００２】
従来より、ＳＤＨフレーム信号のようなＣＢＲ信号を、セル単位に分割して伝送し受信端でその信号を再生するアプリケーションは、ＡＴＭ技術を応用しての設計が考えられ、ＡＴＭでは、シーケンス番号（ＳＮ）によるＡＴＭセルの順序を監視する手段が提案されている。つまり、セル損失時にＳＮが跳躍したことを検出することにより、セル損失が発生したことを認識している。
【０００３】
図６は、セル損失時のフレーム構造を保持するための損失信号情報を補完する構成の図であり、ＣＢＲ信号を分割してセルに情報を挿入し、伝送後、セル情報から信号情報を取り出しＣＢＲ信号を再生するネットワークを示す。
【０００４】
図６に示すネットワークにおいては、まずセルＳＮカウンタ部６０１において、セルのヘッダ情報としてセルのシーケンス番号（ＳＮ）が生成される。なお、セルのヘッダ情報としてＳＮを挿入する手段は、ＡＴＭ伝送でも用いられ０〜７の番号となっている。
【０００５】
次に、セル生成部６０３において、ＣＢＲ信号の分割情報が、ペイロード情報と、セルＳＮカウンタ部６０１にて生成されたＳＮ値とをヘッダ情報として組み立てられ、セルとしてネットワーク網６０９に出力される。
【０００６】
図７は、図６に示したセル終端部６０４、ＳＮ監視部６０５および書き込みアドレス生成部６０８における処理を説明するフローチャートである。
【０００７】
セル終端部６０４においては、セル生成部６０３からネットワーク網６０９に出力された新規の有効セルが受信されるかが判断される（ステップＳ７０１）。
【０００８】
セル終端部６０４にて有効セルが受信されると、セル終端部６０４において、受信された有効セルの終端処理が行われ、ＳＮ値のモニタおよび、ペイロード情報がメモリ部６０７に書き込まれる。なお、メモリ部６０７は、セルの情報を結合して途切れることなくＣＢＲ信号を再生するために、ネットワーク網６０９で発生するセル間の伝送遅延を吸収するものであり、セル終端部６０４で受信されたペイロード情報は、書き込みアドレス生成部６０８で生成されたアドレス値よりメモリ部６０７に書き込まれる。
【０００９】
ＳＮ監視部６０５では、セル終端部６０４にて受信されたセルに含まれるＳＮ値と次に期待されるＳＮ値とが比較され、誤りによるセル損失の数がカウントされる（ステップＳ７０２）。
【００１０】
N個のセル損失がカウントされた場合、メモリ部６０７に書き込まれるアドレスをN個分飛ばして設定される（ステップＳ７０３）。
【００１１】
セル損失がカウントされなかった場合は、現在の書き込みアドレスが設定される。
【００１２】
上述のように、書き込みアドレス生成部６０８において、ＳＮ監視部６０５にてカウントされるセル損失数により、正常セル内のペイロード情報をメモリ部６０７に書き込むためのアドレス情報が生成される。
【００１３】
その後、書き込みアドレス生成部６０８において生成されたアドレスでメモリ部６０７に書き込みが行われ、その後受信セルで未書き込みのバイトデータがあるかどうかが判断される（ステップＳ７０４）。
【００１４】
未書き込みのバイトデータがない場合、受信状態に戻る。未書き込みのバイトデータがある場合、書き込みアドレス値の示すメモリ部６０７のメモリ領域にバイトデータが書き込まれる（ステップＳ７０５）。
【００１５】
バイトデータがメモリ部６０７に書き込まれると書き込みアドレスに１が加算される（ステップＳ７０６）。さらに未書き込みバイトデータがあるか判断され、この処理を繰り返す。
【００１６】
また、セル単位に分割される前のフレームの同期を監視するためには、フレームを一度終端し、その中の同期パターンを検出してその周期性を計算することにより監視を行っている（例えば、特許文献１参照。）。
【特許文献１】特開平０６−２６８６８８号公報
【発明の開示】
【発明が解決しようとする課題】
【００１７】
しかしながら、ＳＮだけのチェックでは、セル損失によるＳＮ跳躍が原因でフレーム同期がとれなくなり、フレーム構造を保持することができなくなる可能性がある。
【００１８】
図８は、図６に示したネットワークにおけるＣＢＲ信号再生の図であり、セルに対してＳＮを０から７の値でインクリメント（７の次は０）で付与した場合、８連続セル中、１つのセル損失があった場合のＣＢＲ信号再生の動作例を示す。
【００１９】
ＣＢＲ信号８０１は、セル分割単位のバイト列情報単位で１６個分の情報をもつ信号である。この信号はフレーム構造をもち、バイト列８０７，８０８は、連続するフレームの先頭バイト列であることを示している。
【００２０】
セル生成部６０３では、このＣＢＲ信号８０１が分割されＳＮ値が付加されてセルが生成される。生成されたセル列が生成セル列８０２である。この生成セル列８０２がネットワーク網６０９を伝送されたとき、１セル中に誤りが生じ、セル終端部６０４においてそのセルが欠損して受信された場合、受信セル列８０３のように欠損セル８１０が生じたセル列になってしまう。
【００２１】
セル８０９の次に正常受信されるセル８１１は、ＳＮ監視部６０５にて、１つのセルが欠損していることが判断されるため、書き込みアドレス生成部６０８では、セル８１１のペイロード情報の先頭バイト情報のメモリ書き込み位置として、セル８０９の最後尾のバイト情報を書き込んだアドレス値に１セル分が加算されてアドレス値が生成される。これにより、メモリへの書き込みデータ列は、１セル分飛ばして書き込まれたデータ列８０４となる。そして、メモリ部６０７から順次読み出されたデータ列は、バイト列８１２分のデータがダミーデータに置き換わったデータ列８０５となる。ＣＢＲ受信装置では、再生ＣＢＲ信号８０６が受信されるため、バイト列８１３の区間はエラーとなるが、フレーム先頭のバイト列８１４は、ＣＢＲ受信信号のフレーム同期処理で期待される位置にあるため、フレームの同期はずれは生じない。
【００２２】
しかしながら、８連続以上のセル損失があった場合に、ＳＮによるセル損失の数の判断が誤ってくるためフレーム構造を保持することができなくなる。
【００２３】
図９は、８連続のセル損失があった場合の動作例を示す図である。
【００２４】
図９の受信セル列９０３のように、セル９１０〜９１７の８セル連続して欠損して受信した場合、ＳＮ監視部６０５によるセル損失数検出処理は、セル９０９のＳＮ＝０で次に受信されるセルのＳＮ期待値が１であるため、セル９１８が受信されたとき、セル損失なしと判定され、セル欠損数はゼロとして処理される。このため、書き込みアドレス生成部６０８で生成されるセル９１８のペイロード情報の先頭バイトの書き込みアドレス値は、セル９０９のペイロード情報の最後尾のバイト情報が書き込まれたアドレス値に１を加算させたアドレス値となる。
【００２５】
このため、メモリ部６０７より順次読み出されて再生されたＣＢＲ信号は、再生ＣＢＲ信号９０６となり、この信号は、フレーム先頭バイト列９２１がＣＢＲ受信装置で期待されるフレーム内の位置に対してずれるため、ＣＢＲ受信装置では、フレーム同期はずれが検出される。そして再びフレーム同期を確立するまでの間、すべて正常に受信できないデータとなってしまう。
【００２６】
本発明は、上述したような従来の技術が有する問題点を鑑みてなされたものであって、セル損失からのフレーム構造を保護することができるセル伝送方式およびセル伝送方法を提供することを目的とする。
【課題を解決するための手段】
【００２７】
上記目的を達成するために本発明は、
入力されたフレームからセルを生成し、送出するセル生成部と、前記セル生成部から送出されたセルを受信し、該セルを終端するセル終端部と、セル終端部にて終端されたセルが書き込まれるメモリ部と、前記メモリ部へのセルの書き込みアドレスを生成する書き込みアドレス生成部とを有し、前記メモリ部が、前記アドレス生成部にて生成された書き込みアドレスに前記セルを書き込むセル伝送方式において、
前記フレームの構造を保持するために前記フレームの周期を監視するための第１の識別子を生成し、前記セル生成部にて生成されたセルに付与する第１の識別子付与手段と、
前記セル終端部にて受信されたセルから、前記第１の識別子を検出する第１の識別子検出手段とを有し、
前記アドレス生成部は、前記第１の識別子検出手段にて検出された前記第１の識別子に基づいて前記書き込みアドレスを生成することを特徴とする。
【００２８】
また、前記セル生成部にて生成されたセルの順序を識別するための第２の識別子を生成し、前記セルに付与する第２の識別子付与手段と、
前記セル終端部にて受信されたセルから、前記第２の識別子を検出する第２の識別子検出手段とを有し、
前記アドレス生成部は、前記第１の識別子検出手段にて検出された前記第１の識別子と、前記第２の識別子検出手段にて検出された前記第２の識別子とに基づいて、前記書き込みアドレスを生成することを特徴とする。
【００２９】
また、入力されたフレームからセルを生成して送出し、受信したセルを終端してメモリに書き込むセル伝送方法であって、
前記フレームの構造を保持するために前記フレームの同期を監視するための第１の識別子をセルに付与する処理と、
前記第１の識別子が付与されたセルを送出する処理と、
前記受信されたセルから前記第１の識別子を検出する処理と、
前記検出された前記第１の識別子に基づいてセルの前記メモリへの書き込みアドレスを生成する処理と、
前記書き込みアドレスにしたがってセルを前記メモリに書き込む処理とを有する。
【００３０】
また、セルの順序を識別するための第２の識別子をセルに付与する処理と、
前記第１および第２の識別子が付与されたセルを送出する処理と、
前記受信されたセルから前記第１および第２の識別子を検出する処理と、
前記検出された前記第１および第２の識別子に基づいてセルの前記メモリへの書き込みアドレスを生成する処理と、
前記書き込みアドレスにしたがって、セルを前記メモリに書き込む処理とを有することを特徴とする。
【００３１】
上記のように構成された本発明においては、第１の識別子付与手段にて、セル生成部に入力されたフレームの構造を保持するためにフレームの周期を監視するための第１の識別子が生成され、この第１の識別子がセル生成部にて生成されたセルに付与されセル生成部から送出される。セル生成部から送出されたセルがセル終端部にて受信されると、セル終端部において受信されたセルが終端され、メモリ部に書き込まれる。この際、第１の識別子検出手段において、セル終端部にて受信されたセルから第１の識別子が検出され、この第１の識別子に基づいてアドレス生成部にてセルのメモリ部に対する書き込みアドレスが生成される。
【００３２】
このように、伝送されるセルに、フレームの構造を保持するためにフレームの周期を監視するための第１の識別子が付与され、このセルが受信された際に受信されたセルから第１の識別子が検出され、検出された第１の識別子に基づいて生成される書き込みアドレスにセルが書き込まれるので、セル損失からフレーム構造が保護される。
【発明の効果】
【００３３】
以上説明したように本発明においては、入力されたフレームからセルを生成し、送出するセル生成部と、セル生成部から送出されたセルを受信し、該セルを終端するセル終端部と、セル終端部にて終端されたセルが書き込まれるメモリ部と、メモリ部へのセルの書き込みアドレスを生成する書き込みアドレス生成部とを有し、メモリ部が、アドレス生成部にて生成された書き込みアドレスにセルを書き込むセル伝送方式において、フレームの構造を保持するためにフレームの周期を監視するための第１の識別子を生成し、セル生成部にて生成されたセルに付与する第１の識別子付与手段と、セル終端部にて受信されたセルから、第１の識別子を検出する第１の識別子検出手段とを有し、アドレス生成部が、第１の識別子検出手段にて検出された第１の識別子に基づいて書き込みアドレスを生成する構成であるため、セル損失からのフレーム構造を保護することができる。
【発明を実施するための最良の形態】
【００３４】
以下に、本発明の実施の形態について図面を参照して説明する。
【００３５】
図１は、本発明のセル伝送方式の実施の一形態を示すブロック図である。
【００３６】
本形態は図１に示すように、ＳＴＭ−１６装置（送信側）１１２からＳＴＭ−１６装置（受信側）１１３へ情報をセル化して伝送するネットワークであって、ＳＴＭ−１６のフレームを送信するＳＴＭ−１６装置（送信側）１１２と、ＳＴＭ−１６装置１１２から送信されたフレームをセルに分割し、ネットワーク網１０９に送出するセル生成部１０３と、セル生成部１０３にて分割されたセルにセルの順序を識別するための第2の識別子であるＳＮ値を付与する第２の識別子付与手段であるセルＳＮカウンタ１０１と、ＳＴＭ−１６装置（送信側）１１２から送信されたフレームの構造を保持するためにフレーム周期を監視し、検出するための第1の識別子であるフレーム同期用信号ＦＩ値を生成し、セル生成部１０３にて分割されたセルに付与する第１の識別子付与手段であるＣＢＲ信号フレーム周期カウンタ１０２と、ＳＮ値とＦＩ値が付与されセル生成部１０３からネットワーク網１０９に送出されたセルを終端するセル終端部１０４と、セル終端部１０４にて終端されたセル内のＳＮ値を監視し、検出する第２の識別子検出手段であるＳＮ監視部１０５と、セル終端部１０４にて終端されたセル内のＦＩ値を監視し、検出する第１の識別子検出手段であるＦＩ監視部１０６と、ＳＮ監視部１０５にて検出されたＳＮ値とＦＩ監視部１０６にて検出されたＦＩ値に基づいて、セル終端部１０４にて終端されたセルのメモリ１０７へのデータ書き込みアドレスを生成する書き込みアドレス生成部１０８と、書き込みアドレス生成部１０８にて生成されたアドレスでデータが書き込まれるメモリ部１０７とから構成され、メモリ部１０７から出力されたＳＴＭ−１６のフレームがＳＴＭ−１６装置（受信側）１１３にて受信される。
【００３７】
以下に、上記のように構成されたセル伝送方式の動作について説明する。
【００３８】
ＳＴＭ−１６装置（送信側）１１２からＳＴＭ−１６信号が送出されると、まずセル生成部１０３においてＳＴＭ−１６信号が１０８０バイト長に分割されセル化される。この際、セル生成部１０３にて生成されたセルには、セルＳＮカウンタ１０１にてＳＮ値が付与されるとともに、ＣＢＲ信号フレーム同期カウンタ１０２にて生成されたＦＩ値が付与される。
【００３９】
図２は、図１に示したセル生成部１０３にて生成されたセルの構成を示す図である。セル生成部１０３にて生成されたセルは、図２に示すように１バイト長のヘッダ情報、１０８０バイト長のペイロードエリアから構成されるものと定義する。
【００４０】
ＳＮ２０１は、セルの生成順序を示す０〜７の値をもつ３ビット情報で、セル生成毎に１インクリメント（７の次は０）してセルに挿入される。
【００４１】
ＦＩ２０２はフレーム周期情報で、ＣＢＲ信号フレーム周期カウンタが０となっているときに、生成されているセルにＦＩ＝１として挿入され、それ以外は、ＦＩ＝０が挿入される。ここでＣＢＲ信号フレーム周期カウンタ１０２においては、ＳＴＭ−１６信号をセルのペイロードエリアに１バイトずつ挿入するたびに、値が１インクリメントされ、３８８８０がカウントされるとき０にリセットされる。つまり、セルが３６個生成される毎に、ＦＩ＝１となるセルが１つ生成されることになる。
【００４２】
セル生成部１０３で生成されたセルは、ネットワーク網１０９を伝送され、セル終端部１０４で受信される。
【００４３】
図３は、図１に示したセル終端部１０４、ＳＮ監視部１０５、ＦＩ監視部１０６および書き込みアドレス生成部１０８における処理を説明するフローチャートである。
【００４４】
ネットワーク網１０９を伝送されたセルがセル終端部１０４で受信されると、まず、セル終端部１０４にて新規有効セルが受信されているかどうかが判断される（ステップＳ３０１）。
【００４５】
セル終端部１０４にて新規有効セルが受信されていると判断された場合、ＦＩ監視部１０６にてＦＩ＝１検出処理が行われる（ステップＳ３０２）。ＦＩ監視部１０６のＦＩ＝１検出処理において、ＦＩ＝１が検出された場合はメモリ部１０７への書き込みアドレスが１に設定される（ステップＳ３０３）。
【００４６】
また、ＦＩ＝０の場合は、ＳＮ監視部１０５にてセル損失検出処理が行われる（ステップＳ３０４）。ＳＮ監視部１０５において、N個のセル損失が検出された場合、メモリ部１０７に書き込まれるアドレスをN個分飛ばして設定される（ステップＳ３０５）。
【００４７】
セル損失がカウントされなかった場合は、現在の書き込みアドレスが設定される。
【００４８】
上述のように、書き込みアドレス生成部１０８において、ＦＩ監視部１０６にて検出されるＦＩ値と、ＳＮ監視部１０５にてカウントされるセル損失数とに基づいて、正常セル内のペイロード情報をメモリ部１０７に書き込むためのアドレス情報が生成される。
【００４９】
書き込みアドレス生成部１０８において生成されたアドレスでメモリ部１０７に書き込みが行われ、その後受信セルで未書き込みのバイトデータがあるかどうか判断される（ステップＳ３０６）。
【００５０】
未書き込みのバイトデータがない場合、受信状態に戻る。未書き込みのバイトデータがある場合、書き込みアドレス値の示すメモリ部１０７のメモリ領域にバイトデータが書き込まれる（ステップＳ３０７）。
【００５１】
バイトデータがメモリ部１０７に書き込まれると書き込みアドレスに１が加算される（ステップＳ３０８）。さらに未書き込みバイトデータがあるか判断され、この処理を繰り返す。
【００５２】
図４は、図１に示したメモリ部１０７の構造を示す図である。
【００５３】
メモリ部１０７は、図４に示すように、１９４４０バイトのメモリ領域をもつように定義している。これは、ＳＴＭ−１６信号の２分の１フレーム分の情報量に相当する。
【００５４】
このメモリ領域に、上述したように、アドレス値を生成して書き込み処理を行うことで、８パケット以上のセル損失が発生し、ＳＮ監視部１０５による誤判定があっても、ＦＩ＝１のセルを受信したとき、再び正しいフレーム構造を保持するようにメモリ部１０７へ書き込みが行われ、それによりメモリ部１０７から順次読み出された信号は、ＳＴＭ−１６信号のフレーム構造についてＳＴＭ−１６装置（受信側）１１３がフレーム同期を保持できる信号となっている。
【００５５】
なお、セルは、１０８０バイトのペイロードエリアとしたが、セルのペイロードサイズは、整数倍でＳＴＭ−１６信号の１フレームサイズになる値において、異なるサイズでも同方式で実現可能である。
【００５６】
図５は、９個連続セルが損失した場合における、動作例を示す図である。
【００５７】
図５で示すように、ＳＴＭ−１６装置（送信側）１１２より受信される信号は、ＳＴＭ−１６信号５０１のように１２５ｕｓ周期のフレーム構造をもっており、１周期 ３８８８０バイトの情報となっている。ＳＴＭ−１６信号は、先頭のA１，A２バイト情報をもとにフレーム同期をとって信号の生成、終端が行われている。ＳＴＭ−１６信号の受信において、A１，A２の同期識別信号が１２５ｕｓ期に２回連続して同位置に受信を確認したとき、同期状態となり、同期状態から、５回連続、A１，A２を認識できなかったとき同期はずれとなる。
【００５８】
生成セル列５０２は、ＳＴＭ−１６信号５０１によってセル生成部１０３にて生成されたもので、ＳＮ値、ＦＩ値が付加されている。
【００５９】
ＣＢＲ信号フレーム周期カウンタ１０２によるＦＩ値の生成は、セル５０６で行われるとすると必然的に、セル５０７〜５０９もＦＩ＝１が挿入される。受信セル列５０３は、９連続セル損失があったときのセル終端部１０４での受信セルを示している。セル５１１からセル５１２までの９個のセルが損失セルである。
【００６０】
このとき、メモリ部１０７への書き込みにおいては、図２にて説明したように受信セルのＳＮ値およびＦＩ値によりメモリへの書き込み位置を制御おこなった結果、セル５１３からセル５１４までのペイロード情報は誤ったアドレスに書き込まれるが、セル５１５の受信によりＦＩ＝１が検出され、アドレスは、正常アドレスに復帰し以降の受信セルのペイロード情報は、正しいアドレス位置に書き込まれ、メモリ書き込みデータ列５０４に示したとおりになる。
【００６１】
この処理により、メモリ部１０７から順次読み出されたデータ列は、再生ＳＴＭ−１６信号５０５となる。欠損セルによるデータ未書き込みエリアおよび誤りアドレスへの書き込みが生じたため、データ誤り区間５１６が生じているが、セル５１５で伝送された情報よりフレーム構造は復旧している。
【００６２】
このため、ＳＴＭ−１６装置（受信側）１１３では、５フレーム周期以上のA１，A２情報を認識できなくなる状態とはなっておらず、フレーム同期はずれはおこらない。つまり、フレーム同期はずれ状態になってから再びフレーム同期するまでには、７フレーム程度のエラーを生じてしまうことになるが、本発明の構成では、データ誤り区間５１６のみでエラーが生じることになる。
【図面の簡単な説明】
【００６３】
【図１】本発明のセル伝送方式の実施の一形態を示すブロック図である。
【図２】図１に示したセル生成部にて生成されたセルの構成を示す図である。
【図３】図１に示したセル終端部、ＳＮ監視部、ＦＩ監視部、および書き込みアドレス生成部における処理を説明するフローチャートである。
【図４】図１に示したメモリ部の構造を示す図である。
【図５】図１に示したネットワークにおいて８連続のセル損失があった場合の動作例を示す図である。
【図６】従来のセル損失時のフレーム構造を保持するための損失信号情報を補完する構成の図である。
【図７】図６に示したセル終端部、ＳＮ監視部、および書き込みアドレス生成部における処理を説明するフローチャートである。
【図８】図６に示したネットワークにおけるＣＢＲ信号再生の図である。
【図９】図６に示したネットワークにおいて８連続のセル損失があった場合の動作例を示す図である。
【符号の説明】
【００６４】
１０１    セルＳＮカウンタ
１０２    ＣＢＲ信号フレーム周期カウンタ
１０３    セル生成部
１０４    セル終端部
１０５    ＳＮ監視部
１０６    ＦＩ監視部
１０７    メモリ部
１０８    書き込みアドレス生成部
１０９    ネットワーク網
１１２    ＳＴＭ−１６装置（送信側）
１１３    ＳＴＭ−１６装置（受信側）
２０１    ＳＮ
２０２    ＦＩ
５０１    ＳＴＭ−１６信号
５０２    生成セル列
５０３    受信セル列
５０４    メモリ書き込みデータ列
５０５    再生ＳＴＭ−１６信号（メモリ読み出しデータ列）
５０６〜５０９    セル（ＦＩ＝１）
５１１    損失セル（連続９セルの先頭セル）
５１２    損失セル（連続９セルの最後尾セル）
５１３    セル（誤アドレスに書き込まれる先頭セル）
５１４    セル（誤アドレスに書き込まれる最後尾セル）
５１５    セル（セル損失後の最初のＦＩ＝１のセル）
５１６    データ誤り区間
【図１】
2006050075.tif 000003
【図２】
2006050075.tif 000004
【図３】
2006050075.tif 000005
【図４】
2006050075.tif 000006
【図５】
2006050075.tif 000007
【図６】
2006050075.tif 000008
【図７】
2006050075.tif 000009
【図８】
2006050075.tif 000010
【図９】
2006050075.tif 000011